(57)【特許請求の範囲】
【請求項１】
枠体と、
前記枠体に開閉自在に取り付けられた折戸本体と、
前記枠体に開閉自在に取り付けられると共に框体にパネル体を嵌め込んで成り、前記折戸本体に対し親子扉関係を為す子扉体と、
前記折戸本体の召合わせ縦框の室外側に取り付けられ、前記召合わせ縦框から延びる上下一対のアーム部と前記両アーム部の先端部間に渡したグリップ部とから成る開閉ハンドルと、を備え、
前記折戸本体は、前記枠体の左右一方の縦枠側端を基端として室内側に折り込まれることで開放され、
前記子扉体は、前記枠体の左右他方の縦枠側端を基端として室内側に回動することで開放され、
前記開閉ハンドルは、前記グリップ部を前記子扉体の前記パネル体に面するよう位置させて、前記両アーム部が前記子扉体に沿って斜めに延在していることを特徴とする折戸。
【請求項２】
前記折戸本体の召合わせ縦框と前記子扉体の召合わせ縦框とは、相互の突合わせ端部において、一方が断面凸形状に、他方がこれと略相補的に形状となる断面凹形状に形成されていることを特徴とする請求項１に記載の折戸。
【請求項３】
前記子扉体の召合わせ縦框には、その閉塞状態を前記枠体に係止する係止機構が組み込まれており、
前記係止機構は、前記枠体に形成したガイドレールに係脱自在に係止するラッチ機構で構成されていることを特徴とする請求項１または２に記載の折戸。
【請求項４】
前記子扉体の子扉戸尻縦框には、一端を前記枠体側に固定したヒンジ部材が組み込まれており、
前記子扉戸尻縦框には、室外側からの操作で前記ヒンジ部材の前記枠体に対する固定を解くヒンジ離脱機構が組み込まれていることを特徴とする請求項１、２または３に記載の折戸。
【請求項５】
前記室内側の床面および前記室外側の床面に対し、前記枠体の下枠がほぼ段差無く配設されていることを特徴とする請求項１ないし４のいずれかに記載の折戸。
【請求項６】
前記子扉体の召合わせ縦框には、前記子扉体を前記枠体にロックする落とし錠が設けられ、
前記落とし錠の操作つまみが、前記召合わせ縦框の見付け面であって、且つ腰高位置に配設されることを特徴とする請求項１ないし５のいずれかに記載の折戸。
【発明の詳細な説明】
【０００１】
【発明の属する技術分野】
本発明は、出入口を広く形成したバリアフリー設計の浴室やシャワー室等において、その出入口に設けられる折戸に関する。
【０００２】
【従来の技術】
バリアフリー設計の浴室等においては、身障者の車椅子での出入りなどを考慮してその出入口が広く形成されており、このような幅広の出入口に設けられる折戸として、例えば特開平１０−１０８８８８号公報に記載のものが知られている。この折戸は、枠体と、枠体に開閉自在に設けられた一対の２枚折戸体とで構成され、この一対の２枚折戸体を左右にそれぞれ折り畳むように開放することにより、十分な有効開口幅を得るようにしている。この場合、左右一対の２枚折戸体は、同幅（見付け方向が同一幅）に形成された同一構造のものが用いられている。
【０００３】
【発明が解決しようとする課題】
このような従来の折戸では、身障者等が使用する場合には出入口を広く開放できて有用であるが、健常者が使用する場合には一対の２枚折戸体をそれぞれに開閉する必要があり、煩雑な開閉操作を強いることになる。もっとも、健常者が使用する場合に、一方の２枚折戸体のみを開閉することも考えられるが、かかる場合には、開口幅が狭くなってしまい、出入りが良好に行えなくなる不具合がある。
【０００４】
本発明は、出入りに支障を生ずることなく、必要に応じて出入口を広狭自在に且つ簡単に開放することができる折戸を提供することを目的とする。
【０００５】
【課題を解決するための手段】
本発明の折戸は、枠体と、枠体に開閉自在に取り付けられた折戸本体と、枠体に開閉自在に取り付けられると共に框体にパネル体を嵌め込んで成り、折戸本体に対し親子扉関係を為す子扉体と、折戸本体の召合わせ縦框の室外側に取り付けられ、召合わせ縦框から延びる上下一対のアーム部と両アーム部の先端部間に渡したグリップ部とから成る開閉ハンドルと、を備え、折戸本体は、枠体の左右一方の縦枠側端を基端として室内側に折り込まれることで開放され、子扉体は、枠体の左右他方の縦枠側端を基端として室内側に回動することで開放され、開閉ハンドルは、グリップ部を子扉体のパネル体に面するよう位置させて、両アーム部が子扉体に沿って斜めに延在していることを特徴とする。
【０００６】
この構成によれば、枠体で囲まれた開口部分を、親子扉関係を為す折戸本体と子扉体とで開閉するようにしているため、折戸本体のみを開放することで、健常者の通常の出入りが許容され、折戸本体および子扉体を開放することで、開口部分を広く開放することができ、車椅子などによる出入りが許容される。すなわち、子扉体を開放するか否かにより、必要に応じて出入りのための有効開口幅を適宜調節することができる。また、折戸本体および子扉体のいずれもが、縦枠側端を基端として室内側に開放されるため、引き戸などに比して有効開口幅を比較的広くとることができると共に、折戸本体および子扉体の一部が室外側に突出するのを防止することができる。
また、折戸本体におけるスライダの回動中止と開閉ハンドルの力点とを十分に離間させることができ、テコの作用により、折戸本体の初期開放動作を比較的小さな力で行うことができる。しかも、開閉ハンドルが子扉体に沿って斜めに延在しているため、折戸本体を完全開放したときに、開閉ハンドルが折戸本体に干渉するのを有効に防止することができる。
【０００７】
この場合、折戸本体の召合わせ縦框と子扉体の召合わせ縦框とは、相互の突合わせ端部において、一方が断面凸形状に、他方がこれと相補的に形状となる断面凹形状に形成されていることが、好ましい。
【０００８】
この構成によれば、折戸本体と子扉体との召合わせ部分が、凹凸形状で係合する構造となるため、それぞれの開閉形態を考慮すると、折戸本体は子扉体を閉塞した状態で開閉可能となるが、子扉体は折戸本体が開放した状態でないと開閉させることができないことになる。このため、特別な係止機構を用いなくても、折戸本体が閉塞した状態で、誤って子扉体が開放されてしまうのを防止することができる。また、召合わせ部分の凹凸形状により、シールのための面積を広くとることができる。
【０００９】
これらの場合、子扉体の召合わせ縦框には、その閉塞状態を枠体に係止する係止機構が組み込まれており、係止機構は、枠体に形成したガイドレールに係脱自在に係止するラッチ機構で構成されていることが、好ましい。
【００１０】
この構成によれば、例えばフランス落しなどの係止機構のような係止操作および係止解除操作を必要とすることなく、ラッチ機構の係脱により、子扉体を簡単且つ迅速に開閉させることができる。なお、床面との段差のないバリアフリー設計の折戸では、ラッチ機構を召合わせ縦框の上端部のみに設けることが、好ましい。
【００１１】
これらの場合、子扉体の子扉戸尻縦框には、一端を枠体側に固定したヒンジ部材が組み込まれており、子扉戸尻縦框には、室外側からの操作でヒンジ部材の枠体に対する固定を解くヒンジ離脱機構が組み込まれていることが、好ましい。
【００１２】
一般的な浴室折戸では、ロックした折戸を室外側（脱衣室側）から離脱させるためのヒンジ離脱機構が組み込まれているが、上記の構成によれば、室外側からヒンジ離脱機構を操作することにより、折戸本体ではなく子扉体を枠体から離脱させることができる。子扉体は、折戸本体のように重くなく且つ自由状態で折り込まれることもないため、取り扱いが容易でこれを簡単に離脱させることができる。しかも、救助のために必要な幅の開口を、容易に開放することができる。
【００１５】
これらの場合、室内側の床面および室外側の床面に対し、枠体の下枠がほぼ段差無く配設されていることが、好ましい。
【００１６】
この構成によれば、バリアフリー設計の折戸として、必要に応じて有効開口幅を広くとることが可能な構造とすることができる。
【００１７】
これらの場合、子扉体の召合わせ縦框には、子扉体を枠体にロックする落とし錠が設けられ、落とし錠の操作つまみが、召合わせ縦框の見付け面であって、且つ腰高位置に配設されることが、好ましい。
【００１８】
バリアフリーの浴室などは、有効開口幅を広くとるため、折戸に子扉体を設けることが好ましい。しかし、この子扉体を使用しないときは、これを枠体にロックする必要がある。ところが、ロック機構を縦框の端面に隠蔽するように設けると、車椅子などに座った状態では、そのロック・アンロック操作に不自然な姿勢を強いられ、操作性の悪いものとなる。また、確実にロックするため、ロック機構を縦框の上下端部に設けると、２回のロック・アンロック操作を行わなければならず、面倒である。
これに対し、本発明の折戸は、子扉体の召し合わせ側縦框において、その上下いずれか一方に子扉体を枠体にロックする落とし錠が形成されるため、上下に設けるものに比してロック・アンロック操作が１回で済み、且つ子扉体を確実に閉塞位置に固定することができる。また、落とし錠の操作つまみは、召し合わせ側縦框の見付け面であって、且つ腰高位置に配設されるため、例えば車椅子などに座った状態でも自然な姿勢のまま容易に操作できる。なお、「腰高位置」とは、床から７００〜１０００（ｍｍ）の高さの位置をいう。
【００１９】
【発明の実施の形態】
以下、添付図面を参照して、本発明の第１の実施形態に係る折戸を浴室の出入口に設置した場合について説明する。この浴室は、介護者を伴う出入りを考慮し、必要に応じてその有効開口幅を比較的広くとれるようにしたものであり、且つ折戸の開閉を比較的小さな力で簡単に開閉できるようにしたものである。図１は、脱衣室側から見た折戸の姿図であり、同図に示すように、折戸１は、枠体２と、枠体２に開閉自在に装着した折戸本体３および子扉体４とで構成されている。
【００２０】
枠体２は、それぞれがアルミニウムの押出し形材などからに成る上枠５、下枠６および両縦枠７，７を枠組みして、構成されている。この場合、下枠６に対し浴室床Ａａと脱衣室床Ｂａとは、ほぼ段差無く（上面がほぼ面一）配設されており、いわゆるバリアフリー設計となっている（図４参照）。また、下枠６の下側には、下枠６に沿って排水樋８が配設されており、排水樋８は、浴室床（防水パン）Ａａに支持されている。排水樋８には、排水管９が接続されており、後述する下シール片５２，５３から漏れた排水が下枠６からこの排水樋８に導かれ、排水管９に流入するようになっている（図４参照）。
【００２１】
折戸本体３と子扉体４とは親子扉の関係にあり、折戸本体３は幅広に、子扉体４は幅狭に形成されている。折戸本体３は、図示左部の縦枠７側端部を基端として、浴室Ａ側に折り込まれることで開放され、子扉体４は、図示右部の縦枠７側端部を基端として、浴室Ａ側に回動させることで開放される。この場合、通常の使用形態では、子扉体４を閉塞した状態とし折戸本体３のみを開閉するが、車椅子などの出入りのために広い開口幅を必要とする場合には、折戸本体３および子扉体４を開放するようになっている。
【００２２】
折戸本体３は、戸先側扉体１０および戸尻側扉体１１を突き合わせ、連結金具１２を介して折曲げ自在に連結して、構成されている。戸先側扉体１０の戸先側端部には、浴室Ａ側に臨んで内ハンドル１３が設けられと共に、これに対応して脱衣室Ｂ側に臨んで外ハンドル１４が設けられている（図２参照）。この内外両ハンドル１３，１４は、バリアフリーを考慮して大型に形成されていると共に、上下方向において幾分下部寄りに配設されている。一方、開閉頻度の少ない子扉体４にも、ハンドルやノブなどを設けてもよいが、本実施形態では設けない構成としている。
【００２３】
図１ないし図４に示すように、枠体２の上枠５は、脱衣室Ｂ側に上枠シール取付部２２を有する上枠本体２１と、上枠本体２１の見込み方向の中間位置に垂設した上ガイドレール２３とで、一体に形成されている。上枠シール取付部２２には、各扉体１０，１１，４の上框（後述する）４１，４１，６１に密接する上枠シール部材２４が取り付けられている。
【００２４】
下枠６は、脱衣室Ｂ側に下枠シール取付部２７を有し浴室Ａ側で排水樋８の上側に臨む下枠本体２６と、下枠本体２６の浴室Ａ側と浴室床Ａａとの間に掛け渡した下枠アタッチメント２８とで構成されている。下枠本体２６には、上記の上ガイドレール２３に対向する下ガイドレール２９が一体に形成され、また下枠シール取付部２７には、各扉体８，９，４の下框（後述する）４２，４２，６２に密接する下枠シール部材３０が取り付けられている。一方、下枠アタッチメント２８は排水樋８の上開口部を閉塞するように配設されており、左右の側端部に設けた手掛け部３１により、上側に取り外し得るようになっている。これにより、排水樋８の清掃が可能になる。
【００２５】
左右の各縦枠７は、見込み方向に延びる中空部３４を有する縦枠本体３３と、脱衣室Ｂ側において縦枠本体３３の内面に突設した縦枠シール取付片３５とで、一体に形成されている。そして、一方の縦枠シール取付片３５には、戸尻縦框（後述する）４６に向かって延びる縦枠シール部材３６が、他方の縦枠シール取付片３６には、小扉戸尻縦框（後述する）６４に向かって延びる縦枠シール部材３６が、それぞれ取り付けられている。
【００２６】
戸先側扉体１０は、それぞれがアルミニウムの押出し形材などからに成る上框４１および下框４２と、戸先縦框（召合わせ縦框）４３および連結縦框４４とを框組みすると共に、これにパネル体４５を嵌め込んで構成されている。同様に、戸尻側扉体１１は、それぞれがアルミニウムの押出し形材などからに成る上框４１および下框４２と、戸尻縦框４６および連結縦框４４とを框組みすると共に、これにパネル体４５を嵌め込んで構成されている。
【００２７】
そして、戸先側扉体１０の戸先縦框４３には、その室内外に上記の内ハンドル１３および外ハンドル１４がそれぞれ取り付けられている（詳細は後述する。）。また、戸先側扉体１０の連結縦框４４には、戸先側に延びる補助ハンドル４８が取り付けられている。さらに、戸先側扉体１０の連結縦框４４には、その上端部に浴室Ａ側から操作可能な折戸ロック機構４９が組み込まれる一方、戸尻側扉体１１の連結縦框４４には、その上下両端部にそれぞれ折戸ラッチ機構５０，５０が組み込まれている。
【００２８】
また、各扉体１０，１１の下框４２には、室内外を連通する換気ガラリ５１が形成されている。なお、図４中の符号５２および５３は、それぞれ下框４２および連結金具１２に設けた下シール片であり、両下シール片５２，５３は、下ガイドレール２９に密接するようになっている。この下シール片５２，５３を含んで折戸本体３には、その四周に連続するようにシール片が設けられ、同様に子扉体４にも、その四周に連続するようにシール片が設けられている。
【００２９】
さらに、戸先縦框４３には、その上下両端部にそれぞれヒンジピンＰを一体に形成した戸先上スライダ５５ａおよび戸先下スライダ５５ｂが、回動自在に組み込まれている。同様に、戸尻縦框４６には、その上下両端部にそれぞれヒンジピンＰを一体に形成した戸尻上スライダ５６ａおよび戸尻下スライダ５６ｂが、回動自在に組み込まれている。戸先上スライダ５５ａおよび戸先下スライダ５５ｂは、それぞれ上ガイドレール２３および下ガイドレール２９にスライド自在に係合しており、戸先側扉体１０の開閉をガイドしている。また、戸尻上スライダ５６ａおよび戸尻下スライダ５６ｂは、それぞれ上ガイドレール２３および下ガイドレール２９に係合し且つこの状態で位置規制され、戸尻側扉体１１の開閉（回動のみ）をガイドしている。
【００３０】
すなわち、戸尻上スライダ５６ａおよび戸尻下スライダ５６ｂは、上下両ガイドレール２３，２９にスライドを規制された状態で固定されている。これにより、折戸本体３は、上記両スライダ５５ａ，５５ｂ，５６ａ，５６ｂのヒンジピンＰを中心に、戸先側扉体１０および戸尻側扉体１１が横に直線状に並んだ状態と、戸尻側扉体１１に戸先側扉体１０を重ねるように浴室Ａ側に折り畳たまれた状態との間で、開閉動作される。
【００３１】
小扉体４は、それぞれがアルミニウムの押出し形材などからに成る小扉上框６１および小扉下框６２と、小扉戸先縦框（子扉召合わせ縦框）６３および小扉戸尻縦框６４とを框組みすると共に、これに縦長のパネル体６５を嵌め込んで構成されている。また、小扉下框６２には、戸先側扉体１０や戸尻側扉体１１に倣って換気ガラリ６６が形成されている（図１参照）。
【００３２】
また、小扉戸先縦框６３には、その上端部に子扉ラッチ機構６８が、下端部には端部キャップ６９がそれぞれ組み込まれている（いずれも詳細は後述する）。
また、小扉戸尻縦框６４には、その上下両端部にそれぞれヒンジピンＰを有する子扉上スライダ７０ａおよび子扉下スライダ７０ｂが組み込まれ、且つ子扉上スライダ７０ａには、子扉体４を枠体２から離脱させるヒンジ離脱機構７１が一体に組み込まれている（詳細は後述する）。
【００３３】
子扉上スライダ７０ａおよび子扉下スライダ７０ｂは、それぞれ上ガイドレール２３および下ガイドレール２９に係合し、且つこの状態で不動に固定されている。これにより、子扉体４は、上下両スライダ７０ａ，７０ｂのヒンジピンＰを中心に、開き戸形式で浴室Ａ側に開放される。また、子扉体４は、上ガイドレール２３に係止した子扉ラッチ機構６８により、閉塞状態を規制されるようになっている。
【００３４】
次に、図５を参照して、折戸本体３と子扉体４の召合せ部分（突合せ部分）の構造と、内外両ハンドル１３，１４廻りの構造について説明する。折戸本体３と子扉体４とは、折戸本体３の戸先縦框４３と子扉体４の子扉戸先縦框６３とを、突き当てることにより閉塞される。この場合、戸先縦框４３の突合せ端部４３ａは断面半円状の凸形状に形成されており、これに対応して、子扉戸先縦框６３の突合せ端部６３ａはこれと略相補的な断面形状となる凹形状に形成されている。また、戸先縦框４３の突合せ端部４３ａには浴室Ａ側に位置して戸先内シール片５８が、子扉戸先縦框６３の突合せ端部６３ａには脱衣室Ｂ側に位置して戸先外シール片７３がそれぞれ取り付けられ、浴室Ａと脱衣室Ｂとが二重にシールされている。
【００３５】
この場合、凸形状に形成された戸先縦框４３の突合せ端部４３ａは、凹形状に形成された子扉戸先縦框６３の突合せ端部６３ａに嵌り込むように係合するため、閉塞状態から、折戸本体３のみの開放は許容されるが、子扉体４のみの開放は阻止される。すなわち、折戸本体３を開放した状態でのみ、子扉体４が開放できる構造になっている。これにより、閉塞状態から子扉体４のみ開放されるのを、防止している。
【００３６】
一方、内ハンドル１３は、戸先縦框４３の浴室Ａ側の見付け面に取り付けられ、外ハンドル１４は、戸先縦框４３の脱衣室Ｂ側の見付け面に取り付けられている。図５および図６に示すように、内外両ハンドル１３，１４は、基端部を戸先縦框４３の見付け面にねじ止めされる上下一対のアーム部８１，８１と、両アーム部８１，８１の先端部に渡したグリップ部８２とを有している。内ハンドル１３のアーム部８１は、戸先縦框４３から戸先側扉体１０に沿うように斜め戸尻側に向かって延在する一方、外ハンドル１４のアーム部８１は、戸先縦框４３から子扉体４に沿うように斜め戸先側、すなわち子扉体４の戸尻側に向かって延在している。
【００３７】
グリップ部８２は、両端部を両アーム部８１，８１の先端部にそれぞれ固定され、この先端部同士を連結するように設けたロッド状軸部８３と、ロッド状軸部８３に回転自在に軸支されたグリップ本体８４とで構成されている。ところで実施形態のように、戸先側に設けた内外両ハンドル１３，１４で折戸本体３を開閉するものでは、開閉の動作過程において、ハンドル１３，１４に加える力の方向が微妙に変化すると共に、ハンドル１３，１４自体の角度が変化する。この変化に対し、グリップ本体８４が自由回転することで、ユーザはグリップ本体８４を握り直す必要が無く、折戸本体３を円滑に開閉させることができる。
【００３８】
このように構成された内外両ハンドル１３，１４は、戸先縦框４３に組み込んだ上下両スライダ５５ａ，５５ｂのヒンジピンＰ、すなわち戸先側扉体１０の回動中心より戸尻側に寄った位置において、戸先縦框４３を挟んで対峙するように取り付けられている。また、力点となるグリップ部８２と作用点となるヒンジピンＰとの中心間距離が、内ハンドル１３と外ハンドル１４とで同一距離になるように構成されている。このため、内ハンドル１３に対し外ハンドル１４は、そのアーム部８１の長さが幾分長く形成されている。
【００３９】
したがって、折戸本体３を開閉、特に折戸本体３の初期開放動作において、浴室Ａ側から開放操作する場合も、脱衣室Ｂ側から開放操作する場合も、まったく同一の力加減で、これを開放することができる。また。折戸本体３の初期開放動作において、内ハンドル１３ではこれを手前に引くことにより、また外ハンドル１４でもこれを手前に引くことにより、戸先側扉体１０がヒンジピンＰを中心にこじられるようにして、折込み動作が開始される。
【００４０】
すなわち、アーム部８１の長い内外両ハンドル１３，１４におけるテコの作用と、ヒンジピンＰに対する内外両ハンドル１３，１４の取付位置とにより、開放のために加える力を効率よく折戸ラッチ機構５０の係止解除に作用させるようにしている。また、内外両ハンドル１３，１４において、折戸本体３の初期開放動作を、いずれも人間工学的に最も動作し易い引き動作とすることで、操作の誤りを防止し且つ操作し易いものとしている。さらに、内外両ハンドル１３，１４は、折戸本体３や子扉体４に沿うように延在しているため、折戸本体３および子扉体４を閉塞した状態で、見込み方向に大きく突出することがなく、且つ開放状態で開口部分に大きく突出することがない。
【００４１】
次に、図７および図８参照して、子扉体４の子扉戸先縦框６３に組み込んだ端部キャップ６９および子扉ラッチ機構６８について説明する。図７に示すように、端部キャップ６９は、子扉戸先縦框６３の下端に突き当てられるベースプレート部９１と、子扉戸先縦框６３の下端部に嵌入される嵌入部９２と、ベースプレート部９１の下面に縦断するように突設した部分シール片９３とで構成されている。ベースプレート部９１は、子扉戸先縦框６３の断面形状と相似形の平面形状を有しており、子扉戸先縦框６３の下端に突き当てた状態で、下側からねじ止めされている。部分シール片９３は、子扉下框６２に設けた下シール片５２と、端部を重ねて連続するように設けられている。
【００４２】
図８に示すように、子扉ラッチ機構６８は、上ガイドレール２９に係脱するラッチ突起９５と、ラッチ突起９５を保持するラッチホルダ９６と、ラッチホルダ９６に収容されラッチ突起９５を付勢するばね（図示省略）とで構成されている。また、ラッチホルダ９６は、子扉戸先縦框６３の上端に突き当てられるベースプレート部９７と、子扉戸先縦框６３の上端部に嵌入される嵌入ケース部９８とで一体に形成されている。そして、この場合も、ベースプレート部９７は、子扉戸先縦框６３の断面形状と相似形の平面形状を有しており、子扉戸先縦框６３の上端に突き当てた状態で、上側からねじ止めされている。
【００４３】
ラッチ突起９５は、見込み方向において円弧斜面９５ａと直線斜面９５ｂを有して、断面山形に形成されており、上ガイドレール２９に対し、直線斜面９５ｂを介して係止し、円弧斜面９５ａを介して離脱する。すなわち、係止し易く且つ離脱し難い構造となっている。このように構成された子扉ラッチ機構６８により、子扉体４は閉塞姿勢を規制され、また開放するときは、子扉体４を浴室Ａ側に押す操作だけで、これを開放できるようになっている。
【００４４】
次に、図９を参照して、子扉体４の子扉戸尻縦框６４に組み込んだヒンジ離脱機構７１について説明する。ヒンジ離脱機構７１は子扉戸尻縦框６４の上端部に組み込まれており、上記の子扉上スライダ７０ａと離脱操作レバー１００とで構成されている。子扉上スライダ７０ａは、上ガイドレール２９に係合するスライダ本体１０１と、スライダ本体１０１に組み込んだ戸車１０２と、スライダ本体１０１の下端に連なる係合円板部１０３と、スライダ本体１０１の下端から下方に延びる上記のヒンジピンＰと、ヒンジピンＰに巻回されスライダ本体１０１を上方に付勢するコイルばね１０４と、これら構成部品を収容するケース１０５とで構成されている。
【００４５】
ケース１０５は、子扉戸尻縦框６４の上端部に上側から嵌入固定され、このケース１０５に対しスライダ本体１０１がコイルばね１０４により出没自在に付勢されている。なお、上記したように、スライダ本体１０１は、上枠５に固定したストッパブロック等によりスライド不能となっている（図示省略）。したがって、この子扉上スライダ７０ａは子扉下スライダ７０ｂと共に、子扉体４を回動させるヒンジとして機能している。
【００４６】
一方、離脱操作レバー１００は、子扉戸尻縦框６４の脱衣室Ｂ側上端部に形成した上下方向に延びる長穴１０７にスライド自在に取り付けたレバー本体１０８と、レバー本体１０８の内側に突設した離脱ピン１０９とで一体に形成されている。離脱ピン１０９の先端部は、子扉上スライダ７０ａのケース１０５に形成した縦長開口１０５ａを介して、係合円板部１０３の上側に係合している。したがって、離脱操作レバー１００を押し下げるように操作すると、コイルばね１０４に抗してスライダ本体１０１が下動し、スライダ本体１０１が上ガイドレール２９から離脱する。
【００４７】
この状態で、子扉体４を浴室Ａ側に押し込むと、子扉体４は枠体２から外れて浴室Ａ側に離脱する。使用者が浴室Ａ側から折戸ロック機構４９を操作して折戸本体３をロックした後、不測の事態が発生して浴室Ａ内の使用者を脱衣室Ｂ側から救助する必要が生じた場合には、このヒンジ離脱機構７１を操作して子扉体４を外し、子扉体４の開口部分から救助活動を行うようになっている。もちろん、折戸本体３の戸尻縦框４６に同様のヒンジ離脱機構を設けて、折戸本体３も離脱可能としてもよいが、子扉体４は小型軽量であり且つ折曲げ部分がないため、離脱が容易で且つ離脱後の移動なども簡単に行うことができる。
【００４８】
以上のように本実施形態によれば、大型の内ハンドル１３および外ハンドル１４を、相互に逆方向となる斜め見付け方向に延在させて設けるようにしているため、いずれも最も力の入れやすい引き動作で且つ小さい力で、これを初期開放動作させることができる。したがって、折戸本体３を、無理なく円滑に開閉することができる。また、折戸本体３に加えてこれと親子扉関係を為す子扉体４を設けるようにしているため、通常の出入りに支障を生ずることなく、必要に応じて開口部を広く開放することができる。
【００４９】
次に、図１０および図１１を参照して、本発明の第２実施形態に係る折戸について説明する。なお、上記第１実施形態と同様の構成部分については、同一符号を付して、その詳細な説明を省略する。本実施形態は、第１実施形態の子扉戸先縦框６３の下部に、子扉体４を閉塞位置に固定（ロック）するための落とし錠１２０を設けたものである。また、図１０に示すように、子扉戸先縦框６３の上端部には、第１実施形態と同様の子扉ラッチ機構６８（図８参照）が組み込まれており、閉扉位置の子扉体４のがたつきを防止している。
【００５０】
図１１に示すように、落とし錠１２０は、子扉戸先縦框６３に内蔵されており、落し棒１２１と、落し棒１２１の下端に取り付けられた係合ブロック１２２と、落し棒１２１の上端部位置に合わせて設けられた操作ブロック１２３とで、構成されている。
【００５１】
操作ブロック１２３は、断面略コ字状を有しており、その長手面側（見込み側）には、一対の長穴スリット１２４が形成されている。この長穴スリット１２４，１２４には、係合溝１３１，１３１が形成されると共に、浴室Ａ側および脱衣室Ｂ側から操作可能な一対の操作レバー１２５，１２５が装着されている。操作レバー１２５は、操作レバー本体１２７と、操作レバー本体１２７の表側（見付け方向外側）に形成された操作つまみ部１２８と、操作レバー本体１２７の裏側（見付け方向内側）に形成された上下２つの係合片１２９，１２９とで、構成されている。この係合片１２９，１２９は、子扉戸先縦框６３に形成した長孔を貫通して長穴スリット１２４に差し込まれるようにして係止されている。また、操作レバー１２５は、床から高さ７００〜１０００（ｍｍ）程度の腰高位置に配設され、車椅子などに座った状態でも容易に操作可能となっている。
【００５２】
落し棒９は、その上端部が操作ブロック１２３に固定され、下端部は、係合ブロック１２２の上端面中央に固着されている。係合ブロック１２２は、その下端面に、下レール２９と係合可能な幅を有した凹部１３４が形成されている。
【００５３】
この落とし錠１２０は、アンロック状態において、操作レバー本体１２７が上動端に位置しており、この状態から操作つまみ部１２８を押し下げると、落とし棒１２１と共に係合ブロック１２２が下方にスライドし、凹部１３４が下レール２９に嵌合することでロックが掛かるようになっている。また逆に、操作つまみ部１２８を押し上げると、落とし棒１２１と共に係合ブロック１２２が上方にスライドし、凹部１３４が下レール２９から離間することでロックが解除されるようになっている。なお、図示では省略したが、係合ブロック１２２に形成した突起と、これに対応して子扉戸先縦框６３に形成したカシメ突起とにより、落とし錠１２０の上動端位置および下動端位置が規制されるようになっている。
【００５４】
以上のように本実施形態では、子扉戸先縦框６３の下部に落とし錠１２０が形成されるため、子扉体４を確実に閉塞位置に固定することができる。また、上部にラッチ機構６８が形成されているため、子扉体４ががたつくことがなく、片手で容易にロック操作を行うことができる。さらに、落とし錠１２０の操作レバー１２５は、子扉体４の見付け面であって、且つ着座姿勢で操作可能な高さに配置されるため、例えば車椅子などに座った状態でも容易に操作できる。
【００５５】
なお、落とし錠１２０とラッチ機構６８を上下反転させ、落とし錠１２０を上部に、ラッチ機構６８を下部に設けても良い。また、折戸１の低コスト化を計るため、ラッチ機構６８を省略しても良い。
【００５６】
次に、図１２および図１３を参照して、本発明の第３実施形態に係る浴室ドアについて説明する。本実施形態は、親子開きタイプの浴室ドアに、第２実施形態と同様、子扉体を閉塞位置に固定（ロック）するための落とし錠を設けたものである。従って、落とし錠については、重複説明を避けるため、第２実施形態と異なる点のみの記述に留めるものとする。
【００５７】
図１２は、浴室Ａ側から見た浴室ドア２０１の姿図であり、同図に示すように、浴室ドア２０１は、枠体２０２と、枠体２０２に開閉自在に装着したドア本体２０３および子扉体２０４とで構成されている。また、ドア本体２０３の戸先側端部には、脱衣室Ｂ側に臨んで外操作レバーハンドル２１４が設けられていると共に、これに対応して浴室Ａ側に臨んで内操作レバーハンドルが設けられている（図示省略）。さらに、子扉体の戸先縦框２６３（以下、単に「子扉戸先縦框」という）の上端部には、第１実施形態および第２実施形態と同様の子扉ラッチ機構２６８（図８参照）が組み込まれ、下部には、落とし錠２２０が内蔵されている。
【００５８】
図１３に示すように、落とし錠２２０は、落とし棒２２１と、落し棒２２１の下端に取り付けられた係合ブロック２２２と、ロック時に係合ブロック２２２が挿入される落とし壺２５１と、落し棒２２１の上端部位置に合わせて設けられた操作ブロック２２３とで、構成されている。
【００５９】
係合ブロック２２２は、上端面中央に落とし棒の下端部が固着された係合ブロック本体２４０と、係合ブロック本体２４０に連なり下側を縮閉形成したテーパー部２４１と、テーパー部２４１に連なり落とし壺２５１に挿入される先端挿入部２４２とで、構成されている。また、落とし壺２５１は、樹脂などでブロック状に形成され、下枠アタッチメント２２８の下面に当てがうように取り付けられている。さらに、落とし壺２５１の上端面中央には、係合ブロック２２２の先端挿入部２４２が挿入可能な幅を有した挿入孔２５２が形成されている。また、下枠アタッチメント２２８の挿入孔２５２に対応する位置には、挿入孔２５２と同一幅のスリット２６１が形成されている。なお、落とし棒２２１、操作ブロック２２３等の構成については、第２実施形態と同様である。
【００６０】
この落とし錠２２０は、アンロック状態において、操作つまみ部２２８を押し下げると、落とし棒２２１と共に係合ブロック２２２が下方にスライドし、先端挿入部２４２が落とし壺２５１の挿入孔２５２に挿入することでロックが掛かるようになっている。また逆に、操作つまみ部２２８を押し上げると、落とし棒２２１と共に係合ブロック２２２が上方にスライドし、先端挿入部２４２が挿入孔２５２から引き抜かれることでロックが解除されるようになっている。
【００６１】
以上のように本実施形態では、落とし棒２２１の下部に取り付けた係合ブロック２２２の先端挿入部２４２を、下枠に形成した落とし壺２５１の挿入孔２５２に挿入することにより、落とし錠２２０をロックさせることができる。すなわち、下枠にレール部を有しない浴室ドア２０１においても、子扉体２０４を確実に閉塞位置に固定することができる。
【００６２】
なお、上記３つの実施形態では、本発明の折戸（建具）を浴室の折戸および浴室ドアに適用した例について説明したが、シャワー室等のいわゆる水場をはじめ、各種の折戸および建具に適用できることは、いうまでもない。
【００６３】
【発明の効果】
以上のように本発明の折戸によれば、枠体に囲まれた開口部分を、扉体本体とこれと親子扉関係を為す子扉体とで開閉するようにしているため、子扉体を開放するか否かにより、必要に応じて出入りのための有効開口幅を適宜調節することができ、且つ引き戸などに比してその有効開口幅を比較的広くとることができる。また、扉体本体と子扉体とは別々に開閉可能であるため、個々の開閉を簡単に行うことができる。さらに、子扉体に落とし錠を設けることにより、子扉体を確実に閉塞位置に固定することができる。
【図面の簡単な説明】
【図１】本発明の第１実施形態に係る折戸の浴室側から見た姿図である。
【図２】第１実施形態に係る折戸の閉塞状態の横断面図である。
【図３】第１実施形態に係る折戸の開放状態の横断面図である。
【図４】第１実施形態に係る折戸の縦断面図である。
【図５】第１実施形態に係る内外両ハンドル廻りの拡大横断面図である。
【図６】第１内外各ハンドルの構造図である。
【図７】子扉体の子扉戸先縦框に組み込んだ端部キャップの構造図である。
【図８】子扉体の子扉戸先縦框に組み込んだ小扉ラッチ機構の構造図である。
【図９】子扉体の子扉戸尻縦框に組み込んだヒンジ離脱機構の分解斜視図である。
【図１０】本発明の第２実施形態に係る折戸の浴室側から見た姿図である。
【図１１】第２実施形態に係る落とし錠廻りの拡大斜視図である。
【図１２】本発明の第３実施形態に係る浴室ドアの浴室側から見た姿図である。
【図１３】第３実施形態に係る落とし錠廻りの拡大斜視図である。
【符号の説明】
１  折戸、２  枠体、３  折戸本体、４  小扉体、５  上枠、６  下枠、７  縦枠、１０  戸先側扉体、１１  戸尻側扉体、１３  内ハンドル、１４  外ハンドル、２３  上ガイドレール、２９  下ガイドレール、４３  戸先縦框、４３ａ突合せ端部、４６  戸尻縦框、５５ａ  戸先上スライダ、５５ｂ  戸先下スライダ、６３  子扉戸先縦框、６３ａ  突合せ端部、６４  子扉戸尻縦框、６８  子扉ラッチ機構、７０ａ  子扉上スライダ、７０ｂ  子扉下スライダ、７１  ヒンジ離脱機構、８１  アーム部、８２  グリップ部、１００  離脱操作レバー、１２０  落とし錠（第２実施形態）、１２１  落とし棒、１２２  係合ブロック、１２３  操作ブロック、１２５  操作レバー、２２０  落とし錠（第３実施形態）、２２１  落とし棒、２２２  係合ブロック、２２３  操作ブロック、２２５  操作レバー、Ａ  浴室、Ａａ  浴室床、Ｂ  脱衣室、Ｂａ  脱衣室床、Ｐ  ヒンジピン
【図１】
0003945994.tif 000002
【図２】
0003945994.tif 000003
【図３】
0003945994.tif 000004
【図４】
0003945994.tif 000005
【図５】
0003945994.tif 000006
【図６】
0003945994.tif 000007
【図７】
0003945994.tif 000008
【図８】
0003945994.tif 000009
【図９】
0003945994.tif 000010
【図１０】
0003945994.tif 000011
【図１１】
0003945994.tif 000012
【図１２】
0003945994.tif 000013
【図１３】
0003945994.tif 000014